(57)【要約】      （修正有）【課題】使用者等が、時や季節や天候や場所などに応じて、又は、ファッションとして、サンダルの外観や装飾を追加或いは変更し、一足のサンダルで複数のデザインを簡単に楽しむ事ができるサンダルを提供する。【解決手段】足を載せるための台部１０と、該台部１０に載せた足を把持するためのストラップを少なくとも有するサンダルであって、前記ストラップに１乃至複数の穴４０ａを開ける事により、１乃至複数のボタン型アクセサリーを、組合せ自在に且つ着脱自在に前記ストラップに対して装着するようにした。１乃至複数の穴４０ａは、１乃至複数のボタン型アクセサリーを取り付けない場合或いは取り付けていない箇所が存在する場合でも、総合的なデザインを損なわない為に、又は、穴自身にデザイン性を持たせる事によって所有者に取り付けない選択肢を提供する為に、一般的な丸形だけでなく、菱形、三角形などの形状或いは特殊な形状の穴を使用する。【選択図】図１
0003141832.tif 000002
【実用新案登録請求の範囲】
【請求項１】
足を載せるための台部と、該台部に載せた足を把持するためのストラップとを少なくとも有するサンダルであって、前記ストラップに１乃至複数の穴を開ける事により、１乃至複数のボタン型アクセサリーを、組合せ自在に且つ着脱自在に前記ストラップに対して装着するようにしたことを特徴とするサンダル。
【請求項２】
サンダルは、ビーチサンダルとし、ストラップは鼻緒とし、該鼻緒の左右両ウイングの少なくとも一部の上面に１箇所乃至複数箇所の穴を開け、１乃至複数のボタン型アクセサリーを取り付け、１乃至複数のボタン型アクセサリーを組合せ自在に且つ着脱自在に前記鼻緒の上面に装着するようにしたことを特徴とする請求項１に記載のサンダル。
【請求項３】
該サンダル或いは該ビーチサンダルは、該ストラップ或いは該鼻緒に、ボタン型アクセサリーを取り付けない場合或いは取り付けていない穴が存在する場合でも、総合的なデザインを損なわないように、又は、穴自身にデザイン性を持たせる事によって所有者に取り付けない選択肢を提供する為に、一般的な丸形だけでなく、菱形、三角形、正方形、長方形、多角形、星形、楕円形、十字、ハート、クローバー、スペード、花、植物、人、動物、魚、果物、野菜、車、飛行機、キャラクター商品型などの形状或いは特殊な形状の穴を開けた事を特徴とする請求項１に記載のサンダル。
【考案の詳細な説明】
【技術分野】
【０００１】本考案はサンダルに関する。
【背景技術】
【０００２】従来、例えば、ビーチサンダルは、足を載せる台部と足を把持するストラップとしての鼻緒とから構成される。そして前記台部や鼻緒に絵や模様等が印刷されたものが販売されている。
一般的なサンダルにおいても、前記台部やストラップに絵や模様等が印刷されたもの、更にはストラップ等が飾りで装飾されたものが販売されている。
【考案の開示】
【考案が解決しようとする課題】
【０００３】ところが上記従来のサンダルにおいては、該サンダルの外観を変更する手段が予め用意されてはいない為に、使用者等は、その装飾等を追加或いは変更することが簡単にはできないものであった。【０００４】使用者等が、時や季節や天候や場所などに応じて、又は、ファッションとして、サンダルの外観や装飾を追加或いは変更し、一足のサンダルで複数のデザインを簡単に楽しむ事ができるサンダルの提供する事を課題とする。
【課題を解決するための手段】
【０００５】上記課題を解決する為、本考案のサンダルは、足を載せるための台部と、該台部に載せた足を把持するためのストラップとを少なくとも有するサンダルであって、前記ストラップに１箇所乃至複数箇所の穴を開ける事により、１乃至複数のボタン型アクセサリーを、組合せ自在に且つ着脱自在に前記ストラップに対して装着するようにしたことを第一の特徴としている。
また本考案のサンダルは、上記第１の特徴に加えて、サンダルはビーチサンダルとし、ストラップは鼻緒とし、該鼻緒の左右両ウイングの少なくとも一部の上面に１箇所乃至複数箇所の穴を開け、１乃至複数のボタン型アクセサリーを取り付け、１乃至複数のボタン型アクセサリーを組合せ自在に且つ着脱自在に前記鼻緒の上面に装着するようにしたことを第２の特徴としている。
また本考案のサンダル或いはビーチサンダルは、上記第１及び第２の特徴に加えて、該ストラップ或いは該鼻緒に、ボタン型アクセサリーを取り付けない場合或いは取り付けていない穴が存在する場合でも、総合的なデザインを損なわないように、又は、穴自身にデザイン性を持たせる事によって所有者に取り付けない選択肢を提供する為に、一般的な丸形だけでなく、菱形、三角形、正方形、長方形、多角形、星形、楕円形、十字、ハート、クローバー、スペード、花、植物、人、動物、魚、果物、野菜、車、飛行機、キャラクター商品型などの形状或いは特殊な形状の穴を開けた事を第３の特徴としている。【０００６】上記第１の特徴によれば、サンダルの所有者等は、予め所有しているボタン型アクセサリーの中から１乃至複数のボタン型アクセサリーを選び、サンダルのストラップの穴に、ボタン型アクセサリーを着脱自在にストラップに装着することが可能となる。複数のボタン型アクセサリーを、所有者等は独自に選択し装着する事によって、色々なバリエーションを得ることができる。また一旦装着したボタン型アクセサリーを簡単に他のボタン型アクセサリーに取り替えや位置の変更ができる。
よって第１の特徴によれば、サンダルの使用者等は、時や季節や天候や場所などに応じて、又は、ファッションとして、サンダルの装飾を追加或いは変更し、一足のサンダルで複数のデザインを簡単に楽しむ事ができる【０００７】また上記第２の特徴によれば、ビーチサンダルの所有者等は、予め所有しているボタン型アクセサリーを選び、１乃至複数のビーチサンダルの鼻緒の左右両ウイングの上面に対して、所有者等は独自に選択し装着する事によって、色々なバリエーションを得ることができる。
また一旦装着したボタン型アクセサリーを簡単に他のボタン型アクセサリーに取り替えや位置の変更ができる。【０００８】また上記第３の特徴によれば、上記第１及び第２の特徴に加えて、該ストラップ或いは該鼻緒に、一般的な丸形だけでなく、菱形、三角形、正方形、長方形、多角形、星形、楕円形、十字、ハート、クローバー、スペード、花、植物、人、動物、魚、果物、野菜、車、飛行機、キャラクター商品型などの形状或いは特殊な形状の穴を開けた事により、サンダル或いはビーチサンダルの所有者等は、穴自身にデザイン性によって、ボタン型アクセサリーを取り付けない選択肢を得る事ができ、柔軟に且つ、より多くのバリエーションを得ることができる。
【考案の実施するための形態】
【０００９】以下、添付の図面を参照しながら本考案を更に詳細に説明する。
図１は本考案の一実施形態を示すサンダルの平面図、図２は本考案の一実施形態を示すサンダルの側面図である。
【００１０】１０はサンダルの台部で、２０は鼻緒である。このサンダルは、例えばビーチサンダルとすることができる。３０はボタン型アクセサリーである。
【００１１】前記鼻緒２０の左右のウイング２１、２１の一部に１箇所乃至複数箇所の穴４０ａが開けられている。
【００１２】前記ボタン型アクセサリー３０は、一般に種々の形や色模様が販売されている。
【００１３】サンダルの所有者、使用者等は、自己が所有する複数のボタン型アクセサリーの中から１乃至複数のボタン型アクセサリー３０を自由に選んで、ボタン型アクセサリー３０の裏の台座４０ｂで鼻緒２０のウイング２１の一部に穴４０ａを開ける事により着脱自在に装着する。
使用者等が選択したボタン型アクセサリー３０の種類によって、又は配置や組み合わせで、サンダルの外観、装飾を種々に変更する事ができる。
【００１４】上記の実施形態においては、台部に載せられた足を把持する手段として鼻緒を用いたサンダルを示したが、台部に載せられた足を把持する手段は鼻緒に限定されるものではない。台部に載せられた足を把持する手段としてはストラップを設けたサンダルであってもよい。この場合にも同様にストラップに穴を開ける事により、上記の実施形態の場合と同様に、サンダルの外観、装飾を種々に変更する事ができる。
【００１５】穴４０ａのサイズは、ボタン型アクセサリー３０の裏の台座４０ｂのサイズによって様々に調節する必要があるが、伸縮性のある素材をウイング２１に使用する場合は、ボタン型アクセサリー３０の裏の台座４０ｂのサイズよりも小さくても装着可能である。
【考案の効果】
【００１６】本考案は以上の構成、作用により、請求項１に記載のサンダルによれば、足を載せるための台部と、該台部に載せた足を把持するためのストラップとを少なくとも有するサンダルであって、前記ストラップの少なくとも一部に穴を開け、ボタン型アクセサリーを組み合わせ自在に且つ着脱自在に前記ストラップに対して装着するようにしたので、サンダルの使用者等は、時や季節や天候や場所などに応じて、或いは、ファッションとして、サンダルの装飾を追加或いは変更し、一足のサンダルで複数のデザインを簡単に楽しむ事ができる
また請求項２に記載のサンダルによれば、サンダルはビーチサンダルとし、ストラップは鼻緒とし、該鼻緒の左右両ウイングの少なくとも一部に穴を開け、ボタン型アクセサリーを、ビーチサンダルの鼻緒の左右両ウイングの上面に対して、独自に選択し装着すようにしたので、色々なバリエーションを得ることができる。
また一旦装着したボタン型アクセサリーを簡単に取り替えや位置の変更を楽しむ事ができる。
また請求項３に記載のサンダルによれば、上記第１及び第２の特徴に加えて、該ストラップ或いは該鼻緒に、一般的な丸形だけでなく、菱形、三角形、正方形、長方形、多角形、星形、楕円形、十字、ハート、クローバー、スペード、花、植物、人、動物、魚、果物、野菜、車、飛行機、キャラクター商品型などの形状或いは特殊な形状の穴を開けた事により、サンダル或いはビーチサンダルの所有者等は、穴自体のデザイン性により、ボタン型アクセサリーを取り付けない選択肢を得る事ができ、柔軟に且つ、より多くのバリエーションを得ることができる。
【図面の簡単な説明】
【図１】本考案の一実施形態を示すサンダルの平面図である。
【図２】本考案の一実施形態を示すサンダルの側面図である。
【符号の説明】
１０  台部
２０  鼻緒
２１  ウイング
３０  ボタン型アクセサリー
（一般に広く販売されている上面にデザインが施され背面がボタンのような形状の装飾品で、一般にジビッツアクセサリーと呼ばれている。）
４０ａ  穴
４０ｂ  ボタン型アクセサリーの台座（ボタンに類似した形状）
【図１】
0003141832.tif 000003
【図２】
0003141832.tif 000004